(57)【特許請求の範囲】
【請求項１】
プレゼンテーションに用いるスライド資料ファイルを保持し、プレゼンテーションを聴講する聴講者が利用する聴講者端末と、
前記聴講者端末と無線通信を行なうとともに、聴講者端末の端末情報を記録する聴講者情報記憶手段を備え、プレゼンテーションの説明者が利用する説明者端末とから構成されたプレゼンテーション支援システムであって、
前記説明者端末が、
前記無線通信により、通信可能範囲に存在する聴講者端末の端末情報を取得して、前記聴講者情報記憶手段に登録する手段と、
前記説明者の音声を音声認識し、この音声認識結果をコマンドに変換する手段と、
前記聴講者情報記憶手段に記憶された端末情報に対応する聴講者端末に対して、前記無線通信により、前記コマンドを送信する手段と
を備え、
前記聴講者端末は、前記説明者端末からページ変更のコマンドを取得した場合、プレゼンテーションで用いられたスライド資料ファイルのカレントページを閲覧許容範囲に追加記録し、
聴講者によるページ変更の指示を取得した場合、前記閲覧許容範囲内のページのみ閲覧可能とする表示制御を行なうことを特徴とするプレゼンテーション支援システム。
【請求項２】
前記説明者端末が、音声認識により、ページ変更のコマンドを取得した場合、前記聴講者端末に表示されているスライド資料ファイルのカレントページを特定し、
前記カレントページの変更を指示するコマンドを前記聴講者端末に送信し、
前記聴講者端末は、指示されたカレントページを表示することを特徴とする請求項１に記載のプレゼンテーション支援システム。
【請求項３】
前記聴講者端末は、プレゼンテーションを補足する関連資料ファイルを保持し、
前記関連資料ファイルは、スライド資料ファイルのページに関連付けられており、
前記閲覧許容範囲内のスライド資料ファイルのページに関連付けられた関連資料のみを閲覧可能とする表示制御を行なうことを特徴とする請求項１又は２に記載のプレゼンテーション支援システム。
【請求項４】
前記聴講者端末は、言語種別に関連付けてスライド資料ファイルを保持し、
前記聴講者端末は、指定された言語種別を記憶し、前記言語種別に関連付けられたスライド資料ファイルを出力することを特徴とする請求項１〜３のいずれか一つに記載のプレゼンテーション支援システム。
【請求項５】
前記聴講者端末は、プレゼンテーションに用いる音声ファイルを保持し、
前記コマンドにより、前記聴講者端末において音声ファイルの再生を制御することを特徴とする請求項１〜３のいずれか一つに記載のプレゼンテーション支援システム。
【請求項６】
前記聴講者端末は、言語種別に関連付けて音声ファイルを保持し、
前記聴講者端末は、指定された言語種別を記憶し、前記言語種別に関連付けられた音声ファイルの再生を制御することを特徴とする請求項５に記載のプレゼンテーション支援システム。
【請求項７】
プレゼンテーションに用いるスライド資料ファイルを保持し、プレゼンテーションを聴講する聴講者が利用する聴講者端末と、
前記聴講者端末と無線通信を行なうとともに、聴講者端末の端末情報を記録する聴講者情報記憶手段を備え、プレゼンテーションの説明者が利用する説明者端末とから構成されたプレゼンテーション支援システムを用いたプレゼンテーション支援方法であって、
前記説明者端末が、
前記無線通信により、通信可能範囲に存在する聴講者端末の端末情報を取得して、前記聴講者情報記憶手段に登録する段階と、
前記説明者の音声を音声認識し、この音声認識結果をコマンドに変換する段階と、
前記聴講者情報記憶手段に記憶された端末情報に対応する聴講者端末に対して、前記無線通信により、前記コマンドを送信する段階と
を実行し、
前記聴講者端末は、前記説明者端末からページ変更のコマンドを取得した場合、プレゼンテーションで用いられたスライド資料ファイルのカレントページを閲覧許容範囲に追加記録し、
聴講者によるページ変更の指示を取得した場合、前記閲覧許容範囲内のページのみ閲覧可能とする表示制御を行なうことを特徴とするプレゼンテーション支援方法。
【発明の詳細な説明】
【技術分野】
【０００１】
本発明は、コンピュータ端末を利用して行なうプレゼンテーションを支援するためのプレゼンテーション支援システム及びプレゼンテーション支援方法に関する。
【背景技術】
【０００２】
プレゼンテーションを行なう場合、プロジェクタによって投影したスライドを利用することがある。また、聴講者の手元の各コンピュータ端末にスライドを表示されてプレゼンテーションを行なうこともある。そこで、複数の携帯端末と接続してプレゼンテーションを行なうための技術が検討されている（例えば、特許文献１を参照。）。この文献に記載された技術では、ホストＰＣは、端末を特定するためのメンバＩＤをメモリに記憶し、パスワードを生成し、生成したパスワードを大型ディスプレイに表示させて参加者に公開する。そして、端末から受信した接続要求に含まれるメンバＩＤおよびパスワードに基づき認証を行い、その認証結果に基づき、端末から受信したコマンドを処理する。
【０００３】
また、説明者が、スライドを表示するためのコンピュータ端末を操作していたのでは、口頭による説明に集中することができないこともある。そこで、音声認識により、プレゼンテーションデータの操作を行なうための技術が検討されている（例えば、特許文献２を参照。）。この文献に記載された技術では、音声認識用辞書を参照して、マイクロフォンから入力された音声に含まれるキーワードを認識する。その認識したキーワードに対応する操作コマンドを生成し、この操作に係るプレゼンテーションデータを出力する。
【先行技術文献】
【特許文献】
【０００４】
【特許文献１】特開２００５−４９９９３号公報（第１頁、図１）
【特許文献２】特開平８−３３９１９８号公報（第１頁、図１）
【発明の概要】
【発明が解決しようとする課題】
【０００５】
最近では、無線通信機能を備えたディスプレイを備えたタブレット端末も利用されつつある。このような複数のタブレット端末を利用してプレゼンテーションを行なう場合、通信設定等の準備が手間になることがある。
【０００６】
また、聴講者が手元のタブレット端末においてスライドを閲覧する場合、プレゼンテーションの進行とは別にスライドを確認したい場合もある。この場合、聴講者の勝手な操作により、的確なスライドページを利用してのプレゼンテーションが困難になる場合もある。
【０００７】
本発明は、上記問題点を解決するためになされたものであり、コンピュータ端末を利用して、効果的なプレゼンテーションを効率的に行なうためのプレゼンテーション支援システム及びプレゼンテーション支援方法を提供することにある。
【課題を解決するための手段】
【０００８】
上記問題点を解決するために、請求項１に記載の発明は、プレゼンテーションに用いるスライド資料ファイルを保持し、プレゼンテーションを聴講する聴講者が利用する聴講者端末と、前記聴講者端末と無線通信を行なうとともに、聴講者端末の端末情報を記録する聴講者情報記憶手段を備え、プレゼンテーションの説明者が利用する説明者端末とから構成されたプレゼンテーション支援システムであって、前記説明者端末が、前記無線通信により、通信可能範囲に存在する聴講者端末の端末情報を取得して、前記聴講者情報記憶手段に登録する手段と、前記説明者の音声を音声認識し、この音声認識結果をコマンドに変換する手段と、前記聴講者情報記憶手段に記憶された端末情報に対応する聴講者端末に対して、前記無線通信により、前記コマンドを送信する手段とを備え、前記聴講者端末は、前記説明者端末からページ変更のコマンドを取得した場合、プレゼンテーションで用いられたスライド資料ファイルのカレントページを閲覧許容範囲に追加記録し、聴講者によるページ変更の指示を取得した場合、前記閲覧許容範囲内のページのみ閲覧可能とする表示制御を行なうことを要旨とする。
【００１０】
請求項２に記載の発明は、請求項１に記載のプレゼンテーション支援システムにおいて、前記説明者端末が、音声認識により、ページ変更のコマンドを取得した場合、前記聴講者端末に表示されているスライド資料ファイルのカレントページを特定し、前記カレントページの変更を指示するコマンドを前記聴講者端末に送信し、前記聴講者端末は、指示されたカレントページを表示することを要旨とする。
【００１２】
請求項３に記載の発明は、請求項１又は２に記載のプレゼンテーション支援システムに
おいて、前記聴講者端末は、プレゼンテーションを補足する関連資料ファイルを保持し、前記関連資料ファイルは、スライド資料ファイルのページに関連付けられており、前記閲覧許容範囲内のスライド資料ファイルのページに関連付けられた関連資料のみを閲覧可能とする表示制御を行なうことを要旨とする。
【００１３】
請求項４に記載の発明は、請求項１〜３のいずれか一つに記載のプレゼンテーション支援システムにおいて、前記聴講者端末は、言語種別に関連付けてスライド資料ファイルを保持し、前記聴講者端末は、指定された言語種別を記憶し、前記言語種別に関連付けられたスライド資料ファイルを出力することを要旨とする。
【００１４】
請求項５に記載の発明は、請求項１〜３のいずれか一つに記載のプレゼンテーション支援システムにおいて、前記聴講者端末は、プレゼンテーションに用いる音声ファイルを保持し、前記コマンドにより、前記聴講者端末において音声ファイルの再生を制御することを要旨とする。
【００１５】
請求項６に記載の発明は、請求項５に記載のプレゼンテーション支援システムにおいて、前記聴講者端末は、言語種別に関連付けて音声ファイルを保持し、前記聴講者端末は、指定された言語種別を記憶し、前記言語種別に関連付けられた音声ファイルの再生を制御することを要旨とする。
【００１６】
請求項７に記載の発明は、プレゼンテーションに用いるスライド資料ファイルを保持し、プレゼンテーションを聴講する聴講者が利用する聴講者端末と、前記聴講者端末と無線通信を行なうとともに、聴講者端末の端末情報を記録する聴講者情報記憶手段を備え、プレゼンテーションの説明者が利用する説明者端末とから構成されたプレゼンテーション支援システムを用いたプレゼンテーション支援方法であって、前記説明者端末が、前記無線通信により、通信可能範囲に存在する聴講者端末の端末情報を取得して、前記聴講者情報記憶手段に登録する段階と、前記説明者の音声を音声認識し、この音声認識結果をコマンドに変換する段階と、前記聴講者情報記憶手段に記憶された端末情報に対応する聴講者端末に対して、前記無線通信により、前記コマンドを送信する段階とを実行し、前記聴講者端末は、前記説明者端末からページ変更のコマンドを取得した場合、プレゼンテーション
で用いられたスライド資料ファイルのカレントページを閲覧許容範囲に追加記録し、聴講者によるページ変更の指示を取得した場合、前記閲覧許容範囲内のページのみ閲覧可能とする表示制御を行なうことを要旨とする。
【００１８】
（作用）
請求項１又は７に記載の発明によれば、説明者端末が、無線通信により、通信可能範囲に存在する聴講者端末の端末情報を取得して、聴講者情報記憶手段に登録する。次に、前記説明者の音声を音声認識し、この音声認識結果をコマンドに変換する。そして、聴講者情報記憶手段に記憶された端末情報に対応する聴講者端末に対して、無線通信により、コマンドを送信する。これにより、説明者端末において、手入力等の操作を行なうことなく、聴講者が利用している聴講者端末を制御することができる。
【００１９】
本発明によれば、聴講者端末は、プレゼンテーションに用いるスライド資料ファイルを保持する。そして、コマンドにより、聴講者端末に表示されているスライド資料ファイルの表示を制御する。これにより、聴講者端末において、視覚的にプレゼンテーションを支援することができる。
【００２０】
請求項２に記載の発明によれば、説明者端末が、音声認識により、ページ変更のコマンドを取得した場合、聴講者端末に表示されているスライド資料ファイルのカレントページを特定する。そして、カレントページの変更を指示するコマンドを聴講者端末に送信する。この場合、聴講者端末は、指示されたカレントページを表示する。これにより、聴講者端末において表示されているスライドページを、音声によって制御することができる。
【００２１】
本発明によれば、聴講者端末は、説明者端末からページ変更のコマンドを取得した場合、プレゼンテーションで用いられたカレントページを閲覧許容範囲に追加記録する。そして、聴講者によるページ変更の指示を取得した場合、閲覧許容範囲内のページのみ閲覧可
能とする表示制御を行なう。これにより、プレゼンテーションにおいて、まだ説明していないスライドの閲覧を抑制することができる。
【００２２】
請求項３に記載の発明によれば、聴講者端末は、スライド資料ファイルのページに関連付けられて、プレゼンテーションを補足する関連資料ファイルを保持する。そして、閲覧許容範囲内のスライド資料ファイルのページに関連付けられた関連資料のみを閲覧可能とする表示制御を行なう。これにより、プレゼンテーションにおいて、まだ説明していないスライドに関連する関連資料の閲覧を抑制することができる。
【００２３】
請求項４に記載の発明によれば、聴講者端末は、指定された言語種別を記憶し、言語種別に関連付けられたスライド資料ファイルを出力する。これにより、閲覧者の使用言語に応じたスライドを提供することができる。
【００２４】
請求項５に記載の発明によれば、コマンドにより、聴講者端末において音声ファイルの再生を制御する。これにより、聴講者端末において、聴覚的にプレゼンテーションを支援することができる。
【００２５】
請求項６に記載の発明によれば、聴講者端末は、言語種別に関連付けて音声ファイルを保持し、聴講者端末は、指定された言語種別を記憶し、言語種別に関連付けられた音声ファイルの再生を制御する。これにより、閲覧者の使用言語に応じた音声を出力することができる。
【発明の効果】
【００２６】
本発明によれば、コンピュータ端末を利用して、効果的なプレゼンテーションを効率的に行なうためのプレゼンテーション支援システム及びプレゼンテーション支援方法を提供することができる。
【図面の簡単な説明】
【００２７】
【図１】本発明の実施形態のプレゼンテーション支援システムの説明図。
【図２】本実施形態において用いる端末の機能ブロックの説明図であって、（ａ）は聴講者端末、（ｂ）は説明者端末の説明図。
【図３】本実施形態の処理手順の説明図。
【図４】本実施形態の処理手順の説明図。
【図５】本実施形態の処理手順の説明図。
【図６】本実施形態の処理手順の説明図。
【図７】本実施形態のスライド資料と関連資料との関係の説明図。
【図８】本実施形態の聴講者端末に出力される画面の説明図。
【図９】他の実施形態の処理手順の説明図。
【図１０】他の実施形態の処理手順の説明図。
【図１１】他の実施形態のコマンド送信方法の説明図。
【発明を実施するための形態】
【００２８】
以下、本発明を具体化したプレゼンテーション支援システムの一実施形態を図１〜図８に従って説明する。本実施形態では、説明者が、説明会場において、スライド資料を用いて、聴講者に対してプレゼンテーションを行なう場合を説明する。本実施形態では、図１に示すように、無線通信可能な範囲に設置された聴講者端末１０、説明者端末２０、管理サーバ３０を用いる。
【００２９】
聴講者端末１０は、プレゼンテーションを聴講する聴講者が用いるコンピュータ端末である。一方、説明者端末２０は、プレゼンテーションを行なう説明者が用いるコンピュータ端末である。本実施形態においては、聴講者端末１０、説明者端末２０として、タッチパネル方式のディスプレイを備えたタブレット端末を用いる。聴講者端末１０は、説明者端末２０のディスプレイより大型サイズのディスプレイを用いることにより、視覚性や操作性を優先する。一方、説明者端末２０として、聴講者端末１０よりも小型で軽量の端末を利用することにより、携帯性を優先する。
【００３０】
聴講者端末１０、説明者端末２０とは、無線通信部を備え、相互に通信を行なうことができる。通信方式としては、例えば、Bluetooth （登録商標）等を用いることにより、近距離通信を行なう。
【００３１】
聴講者端末１０は、図１に示すように、制御部１１、データ記憶部１２、タッチパネル１３、マイク１４、スピーカ１５、無線通信部１６を備えている。
タッチパネル１３（タッチパネル方式のディスプレイ）は入出力手段として機能し、パネル上に情報を出力するとともに、パネル表面に触れることにより、触れられた画面位置の情報を感知して各種操作（ポインティング、キー入力等）を行なうことができる。プレゼンテーション中は、このタッチパネル１３には、図８に示すように、スライド資料表示領域１３１、関連資料選択領域１３２が含まれる。スライド資料表示領域１３１には、説明中のスライドページが表示される。関連資料選択領域１３２には、関連資料を選択するためのアイコンが表示される。
【００３２】
マイク１４は集音手段として機能し、スピーカ１５は音声出力手段として機能する。
無線通信部１６は、通信可能な距離範囲内に存在する他の通信端末との間で、上述の通信方式により無線通信を行なう。この無線通信部１６は、ペアリングにより他の通信端末を通信するための端末識別子に関するデータを保持している。
【００３３】
制御部１１は、制御手段（ＣＰＵ、ＲＡＭ、ＲＯＭ等）を備え、後述する処理（通信制御段階、指示制御段階、表示制御段階、音声出力制御段階等の各処理等）を行なう。そのためのプレゼンテーション支援プログラム（聴講者用）を実行することにより、制御部１１は、図２（ａ）に示すように、通信制御手段１１１、指示制御手段１１２、表示制御手段１１３、音声出力制御手段１１４として機能する。
【００３４】
通信制御手段１１１は、無線通信部１６を介して、説明者端末２０からの指示を受信する処理を実行する。
指示制御手段１１２は、受信した指示の内容に基づいて、表示制御手段１１３、音声出力制御手段１１４を制御する処理を実行する。
【００３５】
表示制御手段１１３は、タッチパネル１３に表示するスライド資料の表示を制御する処理を実行する。また、表示制御手段１１３は、スライド資料の表示状態に応じて、関連資料の表示を制御する。この表示制御手段１１３は、プレゼンテーションにおいて、現在、説明者が説明しているページ（カレントページ）を特定するためのデータを保持する。
音声出力制御手段１１４は、スピーカ１５を介して音声を出力する処理を実行する。この場合、合成音声や音声ファイルの再生により、音声を出力することができる。
【００３６】
データ記憶部１２には、スライド資料ファイル１２１、関連資料ファイル１２２、音声ファイル１２３、閲覧履歴ファイル１２４、アンケートファイル１２５が記録される。
【００３７】
スライド資料ファイル１２１は、プレゼンテーションにおいて用いるスライドファイル（説明資料）である。本実施形態のスライド資料ファイル１２１は、図７に示すように、複数ページのスライドから構成されており、スライドページを進めながらプレゼンテーションを進める。
【００３８】
各スライドページには、閲覧可否を判定するための閲覧制御フラグデータ領域が設けられている。ここでは、閲覧できるスライドページには可能フラグが記録され、閲覧できないスライドページには不可フラグが記録される。この可能フラグにより閲覧許容範囲を特定することができる。
【００３９】
関連資料ファイル１２２は、プレゼンテーションにおける説明を補足するための資料ファイルである。この関連資料ファイル１２２には、閲覧条件、閲覧制御フラグに関するデータが記録される。
【００４０】
この閲覧条件データ領域には、この関連資料ファイル１２２を閲覧するための条件に関するデータが記録される。例えば、スライド資料ファイル１２１の所定のスライドページ
の閲覧が条件の場合には、スライド資料ファイル１２１のファイル名、スライドページ（条件ページ）に関するデータが記録される。
【００４１】
閲覧制御フラグデータ領域には、閲覧可否を判定するためのフラグが記録される。ここでは、閲覧できる関連資料ファイル１２２については可能フラグが記録され、閲覧できない関連資料ファイル１２２については不可フラグが記録される。図７に示すように、閲覧条件として、スライドの条件ページ「ｍ頁」が閲覧された場合には、関連資料Ａの閲覧制御フラグデータ領域に可能フラグが設定される。また、スライドの条件ページ「ｎ頁」が閲覧された場合に、関連資料Ｂの閲覧制御フラグデータ領域に可能フラグが設定される。
【００４２】
また、第１の関連資料の閲覧状況に基づいて、第２の関連資料の閲覧制御フラグを制御するようにしてもよい。例えば、閲覧条件として関連資料Ｂの閲覧を設定しておき、関連資料Ｂの閲覧の閲覧を検知した場合に、関連資料Ｃの閲覧制御フラグデータ領域に可能フラグを記録する。これにより、所定の関連資料の閲覧を条件として、他の関連資料の閲覧を許可することができる。
【００４３】
例えば、図８においては、ｍ頁以上ｎ頁未満のスライドを説明している場合を想定している。この場合、関連資料Ａは閲覧できるように、選択可能な表示となっている。一方、閲覧できない関連資料のアイコン（Ｂ、Ｃ）はグレイアウトしている。なお、関連資料Ｄのように、常時閲覧可能な資料については、予め閲覧制御フラグデータ領域に可能フラグを設定しておく。
【００４４】
音声ファイル１２３は、プレゼンテーションにおける説明を補足するための音声に関するデータファイルである。
閲覧履歴ファイル１２４には、表示年月日・時刻に関連付けて、聴講者が閲覧した説明資料（スライド資料、関連資料）のファイル名、閲覧ページに関するデータが記録される。
アンケートファイル１２５には、聴講者がアンケートに回答した場合に回答内容が記録される。
【００４５】
説明者端末２０は、図１に示すように、制御部２１、データ記憶部２２、タッチパネル２３、マイク２４、スピーカ２５、無線通信部２６を備えている。
タッチパネル２３〜無線通信部２６は、聴講者端末１０のタッチパネル１３〜無線通信部１６と同様の機能を備える。
【００４６】
制御部２１は、制御手段（ＣＰＵ、ＲＡＭ、ＲＯＭ等）を備え、後述する処理（通信制御段階、周辺端末管理段階、音声認識段階、指示変換段階等の各処理等）を行なう。そのためのプレゼンテーション支援プログラム（説明者用）を実行することにより、制御部２１は、図２（ｂ）に示すように、通信制御手段２１１、周辺端末管理手段２１２、音声認識手段２１３、指示変換手段２１４として機能する。
【００４７】
通信制御手段２１１は、無線通信部２６を介して、聴講者端末１０に対して指示を送信する処理を実行する。
周辺端末管理手段２１２は、説明者端末２０の周辺に存在する無線端末を検知する処理を実行する。そして、プレゼンテーションの説明者によって指定された無線端末を、聴講者が利用する端末（聴講者端末１０）として登録する。
【００４８】
音声認識手段２１３は、マイク２４により集音された音声を音声認識処理により、テキストに変換する処理を実行する。
指示変換手段２１４は、音声認識処理により生成されたテキストに基づいて、聴講者端
末１０に対するコマンドに変換する処理を実行する。
【００４９】
データ記憶部２２には、スライド資料ファイル２２１、関連資料ファイル２２２、コマンドテーブル２２３、端末管理テーブル２２４が記録される。
スライド資料ファイル２２１、関連資料ファイル２２２は、聴講者端末１０に格納されたスライド資料ファイル１２１、関連資料ファイル１２２と同じものである。ただし、説明者端末２０に格納されるスライド資料ファイル２２１、関連資料ファイル２２２は、自由に閲覧できるように、予め閲覧制御フラグデータ領域に可能フラグを記録しておく。
【００５０】
コマンドテーブル２２３には、音声認識により生成されるテキストに対して、聴講者端末１０に送信するコマンドが記録されている。このコマンドには、制御対象の出力アプリケーションを特定する情報（アプリケーション識別子）や、動作内容を特定する情報が含まれる。本実施形態では、アプリケーション識別子：「スライド」に応じて表示制御手段１１３、アプリケーション識別子：「音声」に応じて音声出力制御手段１１４を制御する。
【００５１】
端末管理テーブル２２４は聴講者情報記憶手段として機能する。この端末管理テーブル２２４には、説明者端末２０を用いて制御する聴講者端末１０を特定するための端末識別子に関するデータが記録される。
【００５２】
聴講者端末１０、説明者端末２０は、無線ネットワークを介して、管理サーバ３０に接続される。この管理サーバ３０は、プレゼンテーションに用いるファイルや、プレゼンテーションの結果を解析するためのデータを記録する。管理サーバ３０は、スライドデータ記憶部３２、関連資料データ記憶部３３、音声データ記憶部３４、閲覧履歴データ記憶部３５、アンケートデータ記憶部３６を備える。スライドデータ記憶部３２、関連資料データ記憶部３３、音声データ記憶部３４には、それぞれプレゼンテーションに用いるスライド資料ファイル（１２１、２２１）、関連資料ファイル（１２２、２２２）、音声ファイル１２３が記録される。
【００５３】
閲覧履歴データ記憶部３５、アンケートデータ記憶部３６には、聴講者端末１０から回収された閲覧履歴ファイル１２４、アンケートファイル１２５が、それぞれ聴講者端末１０の端末識別子に関連付けられて記録される。管理サーバ３０において回収された閲覧履歴ファイル１２４、アンケートファイル１２５は、それぞれ聴講者の評価や閲覧状況を把握するための分析に用いられる。
【００５４】
次に、このプレゼンテーション支援システムにおける動作を、図３〜図６を用いて説明する。ここでは、聴講者端末登録処理、プレゼンテーション支援処理、ページ変更制御処理、関連資料制御処理、プレゼンテーション終了処理の順番に行なう。
【００５５】
（聴講者端末登録処理）
まず、聴講者端末登録処理を、図３を用いて説明する。この処理は、プレゼンテーションの開始前に行なわれる。ここでは、管理サーバ３０から、事前にプレゼンテーションに利用するスライド資料ファイル、関連資料ファイル、音声ファイルを聴講者端末１０にダウンロードしておく。また、説明者端末２０には、スライド資料ファイル、関連資料ファイルをダウンロードしておく。
【００５６】
そして、説明者端末２０の制御部２１は、周辺端末情報の取得処理を実行する（ステップＳ１−１）。具体的には、制御部２１の通信制御手段２１１は、無線通信部２６を介して、接続要求を送信する。ここで、無線通信部１６を介して、接続要求を受信した聴講者端末１０は、端末識別子を説明者端末２０に返信する。
【００５７】
次に、説明者端末２０の制御部２１は、周辺端末情報の表示処理を実行する（ステップＳ１−２）。具体的には、制御部２１の通信制御手段２１１は、無線通信部２６を介して取得した端末識別子を周辺端末管理手段２１２に供給する。この場合、周辺端末管理手段２１２は、端末識別子をタッチパネル２３に表示する。複数の聴講者端末１０が説明者端末２０の周辺に存在する場合には、すべての端末識別子を表示する。
【００５８】
次に、説明者端末２０の制御部２１は、制御対象端末の指定処理を実行する（ステップＳ１−３）。具体的には、タッチパネル２３に表示された端末識別子を確認し、プレゼンテーションに用いる聴講者端末１０をタッチパネル２３上で選択する。この場合、制御部２１の周辺端末管理手段２１２は、端末管理テーブル２２４に、指定された端末識別子を記録する。そして、周辺端末管理手段２１２は、無線通信部２６を介して、指定された端末識別子の聴講者端末１０にペアリング要求を送信する。ペアリング要求には、説明者端末２０の端末識別子を含める。
【００５９】
ペアリング要求を受信した聴講者端末１０の制御部１１は、指示の受け入れ処理を実行する（ステップＳ１−４）。具体的には、制御部１１の通信制御手段１１１は、説明者端末２０の端末識別子を記憶し、この説明者端末２０からのコマンドのみを受け入れるペアリング制御を行なう。
【００６０】
（プレゼンテーション支援処理）
次に、プレゼンテーション支援処理を、図３を用いて説明する。この処理は、プレゼンテーションの進行中に行なわれる。この場合、聴講者端末１０と説明者端末２０とにおいて、同じスライド資料ファイルを開ける。
【００６１】
ここでは、説明者端末２０の制御部２１は、音声の取得処理を実行する（ステップＳ２−１）。具体的には、説明者は、説明者端末２０に指示を発声する。この場合、制御部２１の音声認識手段２１３は、マイク２４において集音した音声を取得する。
【００６２】
次に、説明者端末２０の制御部２１は、音声認識処理を実行する（ステップＳ２−２）。具体的には、制御部２１の音声認識手段２１３は、取得した音声を音声認識処理により、テキストに変換する。そして、音声認識手段２１３は、変換したテキストを指示変換手段２１４に供給する。
【００６３】
次に、説明者端末２０の制御部２１は、コマンドへの変換処理を実行する（ステップＳ２−３）。具体的には、制御部２１の指示変換手段２１４は、音声認識手段２１３から取得したテキストを、コマンドテーブル２２３において検索する。コマンドテーブル２２３に、該当するテキストが登録されていない場合には、このテキストについての処理を終了する。一方、コマンドテーブル２２３に登録されている場合には、指示変換手段２１４は、テキストに対応するコマンドを取得する。
【００６４】
次に、説明者端末２０の制御部２１は、コマンド送信処理を実行する（ステップＳ２−４）。具体的には、制御部２１の指示変換手段２１４は、取得したコマンドを通信制御手段２１１に供給する。この場合、通信制御手段２１１は、端末管理テーブル２２４に記録されている端末識別子を取得する。そして、通信制御手段２１１は、無線通信部２６を介して、この端末識別子の聴講者端末１０に対して、コマンドを含めた指示を送信する。
【００６５】
なお、ここで、スライドに関するコマンドについては、指示変換手段２１４は、タッチパネル２３に表示されているスライドについて、コマンドに応じた表示制御を行なう。これにより、説明者端末２０のタッチパネル２３と聴講者端末１０のタッチパネル１３を同
期させることにより、説明者端末２０のタッチパネル２３においてもカレントページが表示される。例えば、「次のページ」についての音声認識を行なった場合、指示変換手段２１４は、現在、表示されているスライドのカレントページを特定し、次のページを新たなカレントページとして特定する。そして、指示変換手段２１４は、聴講者端末１０のスライドをカレントページに変更するコマンドを生成する。
【００６６】
指示を受信した聴講者端末１０の制御部１１は、コマンド受信処理を実行する（ステップＳ２−５）。具体的には、制御部１１の通信制御手段１１１は、コマンドを指示制御手段１１２に引き継ぐ。この場合、指示制御手段１１２は、コマンドのアプリケーション識別子に応じて、コマンドを表示制御手段１１３又は音声出力制御手段１１４に引き継ぐ。
【００６７】
アプリケーション識別子が「スライド」の場合、聴講者端末１０の制御部１１は、表示制御処理を実行する（ステップＳ２−６）。具体的には、制御部１１の表示制御手段１１３は、コマンドに対応して、スライド資料ファイル１２１のスライドページを出力する。
【００６８】
一方、アプリケーション識別子が「音声」の場合、聴講者端末１０の制御部１１は、音声合成出力処理を実行する（ステップＳ２−７）。具体的には、制御部１１の音声出力制御手段１１４は、コマンドに対応して、音声ファイル１２３を再生する。
【００６９】
（ページ変更制御処理）
次に、ページ変更制御処理を、図４を用いて説明する。ここでは、説明者端末２０において、「次ページ」の音声が入力された場合を想定する。この場合、説明者端末２０は、聴講者端末１０に対して、スライドを次ページにするためのコマンドを送信する。
【００７０】
ここで、聴講者端末１０の制御部１１は、コマンドの受信処理を実行する（ステップＳ３−１）。具体的には、制御部１１の通信制御手段１１１は、説明者端末２０から受信したコマンドを指示制御手段１１２に引き継ぐ。そして、指示制御手段１１２は、コマンドを表示制御手段１１３に引き継ぐ。
【００７１】
次に、聴講者端末１０の制御部１１は、カレントページの特定処理を実行する（ステップＳ３−２）。具体的には、制御部１１の表示制御手段１１３は、コマンドに含まれる表示指定カレントページを特定する。
【００７２】
次に、聴講者端末１０の制御部１１は、カレントページの更新処理を実行する（ステップＳ３−３）。具体的には、制御部１１の表示制御手段１１３は、閲覧制御フラグデータ領域に可能フラグを記録する。
【００７３】
次に、聴講者端末１０の制御部１１は、カレントページの表示処理を実行する（ステップＳ３−４）。具体的には、制御部１１の表示制御手段１１３は、タッチパネル１３に、特定したカレントページのスライドを出力する。
【００７４】
次に、聴講者端末１０の制御部１１は、表示履歴の記録処理を実行する（ステップＳ３−５）。具体的には、制御部１１の表示制御手段１１３は、現在時刻に関連付けて、スライド資料ファイル１２１のファイル名、閲覧ページを閲覧履歴ファイル１２４に追加記録する。
【００７５】
次に、聴講者が、カレントページとは異なるスライドページの閲覧を希望した場合の処理を説明する。この場合には、タッチパネル１３を用いて、ページめくり入力を行なう。
この場合、聴講者端末１０の制御部１１は、ページ変更の指示処理を実行する（ステップＳ３−６）。具体的には、制御部１１の表示制御手段１１３は、タッチパネル１３にお
けるタッチ状況（タッチ位置や動き）に応じて、ページ変更の方向（進み、戻り）を特定する。
【００７６】
次に、聴講者端末１０の制御部１１は、変更先の閲覧制御情報の取得処理を実行する（ステップＳ３−７）。具体的には、制御部１１の表示制御手段１１３は、指定された方向のスライドページの閲覧制御フラグデータ領域を確認する。
【００７７】
次に、聴講者端末１０の制御部１１は、閲覧可能ページかどうかについての判定処理を実行する（ステップＳ３−８）。具体的には、制御部１１の表示制御手段１１３は、閲覧制御フラグデータ領域における可能フラグに基づいて判定する。可能フラグを取得した場合には、閲覧可能ページと判定する。一方、可能フラグが記録されていない場合には、閲覧不可ページと判定する。
【００７８】
閲覧可能ページでないと判定した場合（ステップＳ３−８において「ＮＯ」の場合）、聴講者端末１０の制御部１１は、閲覧不可処理を実行する（ステップＳ３−９）。具体的には、制御部１１の表示制御手段１１３は、タッチパネル１３に閲覧できないことを示すメッセージを出力する。
【００７９】
閲覧可能ページと判定した場合（ステップＳ３−８において「ＹＥＳ」の場合）、聴講者端末１０の制御部１１は、変更ページの表示処理を実行する（ステップＳ３−１０）。具体的には、制御部１１の表示制御手段１１３は、指定されたスライドページをタッチパネル１３に出力する。
そして、聴講者端末１０の制御部１１は、ステップＳ３−５と同様に、表示履歴の記録処理を実行する（ステップＳ３−１１）。
【００８０】
（関連資料制御処理）
次に、関連資料制御処理を、図５を用いて説明する。この処理は、スライド資料において、新たなスライドページが表示された場合に実行する。
【００８１】
ここでは、聴講者端末１０の制御部１１は、カレントページの変更の検知処理を実行する（ステップＳ４−１）。具体的には、制御部１１の表示制御手段１１３は、説明者端末２０から取得したコマンドに基づいてカレントページの変更を検知する。
【００８２】
次に、聴講者端末１０の制御部１１は、閲覧不可の関連資料の特定処理を実行する（ステップＳ４−２）。具体的には、制御部１１の表示制御手段１１３は、データ記憶部１２に記録されている関連資料ファイル１２２において、閲覧制御フラグデータ領域に不可フラグが記録されているファイルを特定する。なお、閲覧制御フラグデータ領域に可能フラグが記録されている閲覧可能ファイルについては、そのまま状態を維持する。
【００８３】
そして、特定した閲覧不可の関連資料毎に以下の処理を繰り返す。
ここでは、まず、聴講者端末１０の制御部１１は、閲覧条件の取得処理を実行する（ステップＳ４−３）。具体的には、制御部１１の表示制御手段１１３は、関連資料ファイル１２２の閲覧条件を取得する。
【００８４】
そして、聴講者端末１０の制御部１１は、閲覧条件を満たすかどうかについての判定処理を実行する（ステップＳ４−４）。例えば、閲覧条件として、スライド資料のページ数が設定されている場合、制御部１１の表示制御手段１１３は、カレントページと閲覧条件として記録されている条件ページとを比較する。そして、カレントページが条件ページ以上の場合には、閲覧可能と判定する。
【００８５】
閲覧条件を満たすと判定した場合（ステップＳ４−４において「ＹＥＳ」の場合）、聴講者端末１０の制御部１１は、閲覧可能に変更処理を実行する（ステップＳ４−５）。具体的には、制御部１１の表示制御手段１１３は、関連資料ファイル１２２の閲覧制御フラグデータ領域に可能フラグを記録する。そして、表示制御手段１１３は、タッチパネル１３において、関連資料の選択ボタンを選択可能に変更する。
【００８６】
一方、閲覧条件を満たさないと判定した場合（ステップＳ４−４において「ＮＯ」の場合）には、この関連資料についての処理を終了する。以上の処理を、すべての閲覧不可の関連資料について繰り返す。
【００８７】
（プレゼンテーション終了処理）
次に、プレゼンテーション終了処理を、図６を用いて説明する。この処理は、プレゼンテーションを終了する場合に実行される。
【００８８】
まず、説明者端末２０の制御部２１は、プレゼンテーション終了処理を実行する（ステップＳ５−１）。具体的には、制御部２１の音声認識手段２１３は、「説明」及び「終了」の音声を取得して、音声認識処理を実行する。この場合、指示変換手段２１４は、音声認識されたテキストをプレゼンテーション終了コマンドに変換し、説明者端末２０に送信する。
【００８９】
プレゼンテーション終了コマンドを受信した聴講者端末１０の制御部１１は、アンケート入力処理を実行する（ステップＳ５−２）。具体的には、制御部１１の表示制御手段１１３は、アンケートファイル１２５を用いて、タッチパネル１３にアンケート画面を出力する。このアンケート画面において、聴講者が、タッチパネル１３を用いて、各種回答を入力した場合、表示制御手段１１３は、入力内容をアンケートファイル１２５に記録する。制御部１１の表示制御手段１１３は、アンケート画面において、完了ボタンの選択を検知した場合、アンケート入力処理を終了する。
【００９０】
次に、聴講者端末１０の制御部１１は、アンケートの登録処理を実行する（ステップＳ５−３）。この場合、聴講者端末１０は、無線ネットワークを介して管理サーバ３０に接続する。そして、聴講者端末１０のタッチパネル１３においてアンケート登録指示が入力された場合、制御部１１の表示制御手段１１３は、管理サーバ３０のアンケートデータ記憶部３６に、聴講者端末１０の端末識別子に関連付けてアンケートファイル１２５を格納する。
【００９１】
更に、聴講者端末１０の制御部１１は、閲覧履歴の登録処理を実行する（ステップＳ５−４）。具体的には、アンケートの登録処理に引き続き、制御部１１の表示制御手段１１３は、管理サーバ３０の閲覧履歴データ記憶部３５に、聴講者端末１０の端末識別子に関連付けて閲覧履歴ファイル１２４を格納する。
【００９２】
そして、聴講者端末１０の制御部１１は、ファイル削除処理を実行する（ステップＳ５−５）。具体的には、制御部１１の表示制御手段１１３は、データ記憶部１２に格納されているスライド資料ファイル１２１〜アンケートファイル１２５を削除する。
【００９３】
以上、本実施形態によれば、以下に示す効果を得ることができる。
（１）上記実施形態では、聴講者端末登録処理において、説明者端末２０の制御部２１は、周辺端末情報の取得処理（ステップＳ１−１）、周辺端末情報の表示処理（ステップＳ１−２）、制御対象端末の指定処理（ステップＳ１−３）を実行する。そして、説明者端末２０の制御部２１は、コマンド送信処理を実行する（ステップＳ２−４）。これにより、予め登録された聴講者端末１０に対して、プレゼンテーションにおける各種指示を送
信することができる。
【００９４】
（２）上記実施形態では、プレゼンテーション支援処理において、説明者端末２０の制御部２１は、音声の取得処理（ステップＳ２−１）、音声認識処理（ステップＳ２−２）、コマンドへの変換処理（ステップＳ２−３）を実行する。これにより、説明者は、ポインティングデバイスやキーボード等を用いた操作を行なうことなく、プレゼンテーションの進行に応じてスライド変更や音声出力等のコマンドを送信することができる。
【００９５】
（３）上記実施形態では、ページ変更制御処理において、聴講者端末１０の制御部１１は、カレントページの更新処理を実行する（ステップＳ３−３）。そして、ページ変更の指示処理（ステップＳ３−６）において、聴講者端末１０の制御部１１は、変更先の閲覧制御情報の取得処理（ステップＳ３−７）、閲覧可能ページかどうかについての判定処理を実行する（ステップＳ３−８）。これにより、プレゼンテーションにおいて、まだ説明を行なっていないスライドについての閲覧を抑制することができる。一方、説明済みのスライドについては、後から見直すことができる。
【００９６】
（４）上記実施形態では、関連資料制御処理において、聴講者端末１０の制御部１１は、閲覧条件を満たすかどうかについての判定処理を実行する（ステップＳ４−４）。閲覧条件を満たすと判定した場合（ステップＳ４−４において「ＹＥＳ」の場合）、聴講者端末１０の制御部１１は、閲覧可能に変更処理を実行する（ステップＳ４−５）。これにより、プレゼンテーションにおいてまだ説明を行なっていないスライドに関する関連資料の閲覧を抑制することができる。
【００９７】
（５）上記実施形態では、プレゼンテーション終了処理において、聴講者端末１０の制御部１１は、アンケート入力処理を実行する（ステップＳ５−２）。そして、聴講者端末１０の制御部１１は、アンケートの登録処理を実行する（ステップＳ５−３）。これにより、プレゼンテーションに対する聴講者の評価情報を取得することができる。
【００９８】
（６）上記実施形態では、ページ変更制御処理において、聴講者端末１０の制御部１１は、表示履歴の記録処理を実行する（ステップＳ３−５、Ｓ３−１１）。そして、プレゼンテーション終了処理において、聴講者端末１０の制御部１１は、閲覧履歴の登録処理を実行する（ステップＳ５−４）。これにより、聴講者がどのスライドを閲覧していたかを確認することができる。
【００９９】
（７）上記実施形態では、プレゼンテーション終了処理において、聴講者端末１０の制御部１１は、ファイル削除処理を実行する（ステップＳ５−５）。これにより、異なる複数の聴講者が聴講者端末１０を共用する場合にも、不要なファイルを削除し、的確に情報管理を行なうことできる。
【０１００】
なお、上記実施形態は、以下の態様に変更してもよい。
・  上記実施形態では、プレゼンテーション終了処理において、聴講者端末１０の制御部１１は、ファイル削除処理を実行する（ステップＳ５−５）。資料削除のタイミングは、これに限定されるものではない。例えば、聴講者端末１０の制御部１１が、プレゼンテーション終了からの経過時間を算出し、基準時間が経過したら、ファイルを削除するようにすることも可能である。
【０１０１】
・  上記実施形態では、説明者は、プレゼンテーションの進行に合わせてスライドを変更する。この場合、説明者端末２０からの指示に基づいて、聴講者端末１０に表示されているスライドを制御する。ここで、説明者端末２０において、聴講者端末１０におけるスライドの閲覧状況を把握できるようにしてもよい。この場合、データ記憶部２２に、閲覧
状況ファイルを記録する。この閲覧状況ファイルには、各聴講者端末１０の端末識別子に関連付けて、各端末において閲覧されているスライドページ（閲覧ページ）が記録される。また、説明者端末２０の制御部２１には、閲覧状況管理手段を設ける。この閲覧状況管理手段における閲覧状況管理処理を、図９を用いて説明する。
【０１０２】
説明者端末２０の制御部２１は、現在の閲覧ページ情報の収集処理を実行する（ステップＳ６−１）。具体的には、聴講者端末１０は、スライドページを変更した場合、閲覧状況情報を説明者端末２０に送信する。この閲覧状況情報には、聴講者端末１０の端末識別子及び閲覧されているスライドページに関するデータを含める。この場合、制御部２１の閲覧状況管理手段は、無線通信部２６を介して、聴講者端末１０から、閲覧状況情報を取得する。
【０１０３】
次に、説明者端末２０の制御部２１は、閲覧状況情報の記録処理を実行する（ステップＳ６−２）。具体的には、制御部２１の閲覧状況管理手段は、閲覧状況ファイルにおいて、端末識別子に関連付けられた閲覧ページを更新する。
【０１０４】
次に、説明者端末２０の制御部２１は、閲覧ページの統計処理を実行する（ステップＳ６−３）。具体的には、制御部２１の閲覧状況管理手段は、閲覧状況ファイルを用いて、各閲覧ページに対する閲覧者数を算出する。
【０１０５】
次に、説明者端末２０の制御部２１は、閲覧ページの割合表示処理を実行する（ステップＳ６−４）。具体的には、制御部２１の閲覧状況管理手段は、各閲覧ページの閲覧者数を、総聴講者数で除算することにより、各スライドページの閲覧割合を算出する。そして、閲覧状況管理手段は、スライドページ毎の閲覧状況割合をグラフ化して、タッチパネル２３に出力する。
【０１０６】
次に、説明者端末２０の制御部２１は、カレントページ以外の閲覧が多いかどうかについての判定処理を実行する（ステップＳ６−５）。具体的には、制御部２１の閲覧状況管理手段は、説明者端末２０のタッチパネル２３に表示されているカレントページを特定する。次に、閲覧状況管理手段は、閲覧ページの割合が最も高い閲覧ページと、カレントページとを比較する。
【０１０７】
ここで、カレントページ以外の閲覧が多いと判定した場合（ステップＳ６−５において「ＹＥＳ」の場合）、説明者端末２０の制御部２１は、注意喚起処理を実行する（ステップＳ６−６）。具体的には、制御部２１の閲覧状況管理手段は、タッチパネル２３に、聴講者がカレントページ以外のページを閲覧していることを示すメッセージを出力する。そして、ステップＳ６−１に戻る。一方、カレントの閲覧が多いと判定した場合（ステップＳ６−５において「ＮＯ」の場合）、説明者端末２０の制御部２１は、注意喚起処理（ステップＳ６−６）をスキップし、ステップＳ６−１に戻る。
これにより、聴講者の閲覧状況を確認しながら、聴講者の閲覧状況に応じてプレゼンテーションを進めることができる。
【０１０８】
・  上記実施形態では、聴講者端末１０の制御部１１は、カレントページの特定処理を実行する（ステップＳ３−２）。この場合、表示制御手段１１３にカレントページを記憶させるようにしてもよい。そして、タッチパネル１３において、「カレントページ」ボタンが選択された場合、表示制御手段１１３は、タッチパネル１３において、スライド資料ファイル１２１のカレントページを表示する。これにより、他のスライドページを閲覧している場合にも、速やかにスライドページに戻ることができる。
【０１０９】
・  上記実施形態では、聴講者端末１０の制御部１１は、カレントページの表示処理を
実行する（ステップＳ３−４）。ここで、説明者が聴講者に対して、所定のスライドページの閲覧を強制する場合と強制しない場合とを設定できるようにしてもよい。このために、説明者端末２０のタッチパネル２３に、強制する場合に用いる強制ボタンを表示しておく。このページ変更制御処理を、図１０を用いて説明する。
【０１１０】
ここでは、ステップＳ２−１、Ｓ２−２と同様に、説明者端末２０の制御部２１は、音声の取得処理（ステップＳ７−１）、音声認識処理（ステップＳ７−２）を実行する。
次に、説明者端末２０の制御部２１は、強制かどうかについての判定処理を実行する（ステップＳ７−３）。具体的には、制御部２１の指示変換手段２１４は、音声認識処理時にタッチパネル２３に表示されている強制ボタンが押下されていたかどうかにより判定する。
【０１１１】
強制と判定した場合（ステップＳ７−３において「ＹＥＳ」の場合）、説明者端末２０の制御部２１は、強制設定処理を実行する（ステップＳ７−４）。具体的には、制御部２１の指示変換手段２１４は、聴講者端末１０に送信するコマンドに強制フラグを設定する。
【０１１２】
一方、強制でないと判定した場合（ステップＳ７−３において「ＮＯ」の場合）、説明者端末２０の制御部２１は、強制設定処理（ステップＳ７−４）をスキップする。
そして、説明者端末２０の制御部２１は、コマンド送信処理を実行する（ステップＳ７−５）。この場合、コマンドには、カレントページの情報を含める。
【０１１３】
説明者端末２０からのコマンドを受信した聴講者端末１０の制御部１１において、ステップＳ２−５と同様に、コマンド受信処理を実行する（ステップＳ７−６）。ここでは、アプリケーション識別子が「スライド」の場合を想定し、通信制御手段１１１は、指示制御手段１１２を介して、表示制御手段１１３にコマンドを引き継ぐ。
【０１１４】
次に、聴講者端末１０の制御部１１において、強制かどうかについての判定処理を実行する（ステップＳ７−７）。具体的には、制御部１１の表示制御手段１１３は、説明者端末２０から受信したコマンドの中に強制フラグが含まれているかどうかによって判定する。
【０１１５】
コマンドの中に強制フラグが含まれていることにより、強制と判定した場合（ステップＳ７−７において「ＹＥＳ」の場合）、聴講者端末１０の制御部１１において、カレントページに変更処理を実行する（ステップＳ７−１０）。具体的には、制御部１１の表示制御手段１１３は、説明者端末２０において指定されたカレントページに変更する。
【０１１６】
一方、コマンドの中に強制フラグが含まれておらず、強制でないと判定した場合（ステップＳ７−７において「ＮＯ」の場合）、聴講者端末１０の制御部１１において、タッチ状態の検知処理を実行する（ステップＳ７−８）。具体的には、制御部１１の表示制御手段１１３は、タッチパネル１３において、カレントページへのページめくりを開始する。ここで、聴講者が、表示されたスライドページの閲覧の継続を希望する場合には、タッチパネル１３においてスライドページの一部を指で押さえる。この場合、表示制御手段１１３は、タッチパネル１３におけるタッチ状況を検知する。
【０１１７】
次に、聴講者端末１０の制御部１１は、ページ固定かどうかについての判定処理を実行する（ステップＳ７−９）。具体的には、制御部１１の表示制御手段１１３は、タッチ状況において、指で押さえられた状態の場合にはページ固定と判定する。
【０１１８】
ページ固定と判定した場合（ステップＳ７−９において「ＹＥＳ」の場合）、タッチ状
態の検知処理（ステップＳ７−８）に戻る。この場合、表示制御手段１１３は、ページ変更を停止し、タッチパネル１３においてスライドページの表示を継続する。
【０１１９】
一方、タッチパネル１３におけるタッチ状況において指が離された場合、ページ固定が解放される。このようにページ固定でないと判定した場合（ステップＳ７−９において「ＮＯ」の場合）、聴講者端末１０の制御部１１において、閲覧中ページの変更確認処理を実行する（ステップＳ７−９）。具体的には、制御部１１の表示制御手段１１３は、タッチパネル１３において、カレントページへのページめくりを開始する。
【０１２０】
これにより、説明者は、聴講者に対して強制的に所定のスライドページを閲覧させることができる。なお、強制ボタンの代わりに、音声認識処理において、「注目」、「重要」のキーワードを検知した場合に、強制設定処理（ステップＳ７−４）を実行するようにしてもよい。
【０１２１】
・  上記実施形態では、説明者端末２０の制御部２１は、音声認識処理（ステップＳ２−２）、コマンドへの変換処理（ステップＳ２−３）を実行する。この場合、スライド資料ファイルのカレントページに応じて、コマンドを変更することも可能である。この場合には、コマンドテーブル２２３において、スライドページに関連づけて、テキストに対応するコマンドを記録しておく。これにより、表示中のスライドページに応じて多様な操作を行なうことができる。
【０１２２】
・  上記実施形態では、説明者端末２０の制御部２１は、コマンド送信処理を実行する（ステップＳ２−４）。コマンド送信方法は、これに限定されるものではない。例えば、図１１に示すように、聴講者端末１０に複数の階層を設け、説明者端末２０から第１階層の聴講者端末１０にコマンドを送信し、この第１階層の聴講者端末１０が第２階層の聴講者端末１０にコマンドを転送するようにしてもよい。この場合には、各聴講者端末１０に、コマンドの転送先の聴講者端末１０の端末識別子を記憶させていく。これにより、説明者端末２０におけるコマンドの送信処理の負担を軽減することができる。この場合、各階層の聴講者端末１０が、上位階層の複数の聴講者端末１０からのコマンドを受信するように冗長性を持たおく。これにより、一部の聴講者端末１０に通信トラブルが生じた場合にも、下位階層の聴講者端末１０にコマンドを、より確実に転送することができる。
【０１２３】
・  上記実施形態では、聴講者端末１０の制御部１１は、表示制御処理（ステップＳ２−６）や音声合成出力処理（ステップＳ２−７）を実行する。この場合、複数の言語により、資料表示や音声出力を行なうようにしてもよい。この場合には、データ記憶部（１２、２２）に各種言語のスライド資料ファイル（１２１、２２１）、関連資料ファイル（１２２、２２２）、音声ファイル１２３を記録しておく。そして、各聴講者端末１０において言語設定を行なう。この場合、聴講者端末１０の制御部１１は、設定された言語をメモリに記録する。そして、表示制御処理（ステップＳ２−６）や音声合成出力処理（ステップＳ２−７）において、メモリに記録された言語に対応するスライド資料ファイルや音声ファイルを出力する。これにより、聴講者端末１０の利用者に応じて、利用言語を変更することができる。
【０１２４】
・  上記実施形態では、同じコマンドをすべての聴講者端末１０に送信する。これに加えて、所定の聴講者端末１０のみに対して、所定のコマンドを送信するようにしてもよい。この場合には、説明者端末２０のタッチパネル２３に端末管理ファイルに記録されている聴講者端末１０の一覧を表示する。そして、この一覧の中で指定された聴講者端末１０に対して、所定のコマンドを送信する。このコマンドは、タッチパネル２３において指定されたコマンドや音声認識によって指定されたコマンドを用いることができる。
【０１２５】
・  上記実施形態では、スライドについて、カレントページに変更するコマンドについて説明した。コマンドはこれに限定されるものではない。例えば、スライド資料ファイル１２１の開閉を制御するようにしてもよい。この場合には、スライド資料ファイル１２１のファイル名とともに「開ける」という音声を取得した場合に、スライド資料ファイル１２１を開ける処理を指示するコマンドを生成する。また、「閉じる」という音声を取得した場合には、開けられているスライド資料ファイル１２１を閉じる処理のコマンドを指示するコマンドを生成する。
【０１２６】
また、複数のスライド資料ファイルを利用している場合には、説明者端末２０において、アクティブになっているスライド資料ファイルを特定して、このスライド資料について、カレントページを変更するコマンドを送信するようにしてもよい。
【０１２７】
・  上記実施形態では、聴講者端末１０のデータ記憶部１２にスライド資料ファイル１２１や関連資料ファイル１２２を格納しておく。これに加えて、プレゼンテーションの途中で新しいファイルを、聴講者端末１０に配信するようにしてもよい。例えば、スライド資料ファイル１２１について新しいバージョンを配信する場合を想定する。この場合、聴講者端末１０の制御部１１は、旧バージョンのスライド資料ファイル１２１の開閉状態を検出する。旧バージョンのスライド資料ファイル１２１が閉じられている場合には、新バージョンのスライド資料ファイル１２１に差し替える。一方、旧バージョンのスライド資料ファイル１２１を開けている場合には、聴講者端末１０の制御部１１は、配信された新バージョンのスライド資料ファイル１２１をメモリに仮記憶する。そして、スライド資料ファイル１２１が閉状態になったことを検知した場合に、旧バージョンを新バージョンに差し替える。
【符号の説明】
【０１２８】
１０…聴講者端末、１１…制御部、１１１…通信制御手段、１１２…指示制御手段、１１３…表示制御手段、１１４…音声出力制御手段、１２…データ記憶部、１２１…スライド資料ファイル、１２２…関連資料ファイル、１２３…音声ファイル、１２４…閲覧履歴ファイル、１２５…アンケートファイル、２０…説明者端末、２１…制御部、２１１…通信制御手段、２１２…周辺端末管理手段、２１３…音声認識手段、２１４…指示変換手段、２２…データ記憶部、２２１…スライド資料ファイル、２２２…関連資料ファイル、２２３…コマンドテーブル、２２４…端末管理テーブル、１３，２３…タッチパネル、２４，２４…マイク、１５，２５…スピーカ、１６，２６…無線通信部、３０…管理サーバ、３２…スライドデータ記憶部、３３…関連資料データ記憶部、３４…音声データ記憶部、３５…閲覧履歴データ記憶部、３６…アンケートデータ記憶部。
【図１】
0005323878.tif 000002
【図２】
0005323878.tif 000003
【図３】
0005323878.tif 000004
【図４】
0005323878.tif 000005
【図５】
0005323878.tif 000006
【図６】
0005323878.tif 000007
【図７】
0005323878.tif 000008
【図８】
0005323878.tif 000009
【図９】
0005323878.tif 000010
【図１０】
0005323878.tif 000011
【図１１】
0005323878.tif 000012